(57)【要約】【課題】  本発明は、線速度の変化に拘わらず簡易な制御で記録特性を維持しながら記録転送速度を向上できるようにする。【解決手段】  本発明は、光ディスク１００に対してデータの書込み又は消去を行う場合、光ディスク１００における記録特性を考慮して設定されたライトパワーを調整することなく、線速度の変化に応じた記録ストラテジーを用いて書込パルスの時間軸補正を行うことにより、当該書込パルスの時間軸補正だけの簡易な制御で当該線速度の変化に拘わらず常に同一の記録特性を維持しながら記録転送速度の向上を図ることができる。【選択図】        図５
2005267801.tif 000002
【特許請求の範囲】
【請求項１】
ディスク状記録媒体に対してアクセスするディスクドライブ装置であって、
上記ディスク状記録媒体を回転駆動する駆動手段と、
上記駆動手段により回転駆動された上記ディスク状記録媒体に対して書込パルスに従いデータの書込み又は消去を行うアクセス手段と、
上記ディスク状記録媒体に対して所定の線速度で上記データを書込むときの記録特性を考慮したライトパワーを設定するライトパワー設定手段と、
上記アクセス手段により上記ディスク状記録媒体に対して上記データの書込み又は消去を行う際、上記ディスク状記録媒体の線速度の変化に対して上記ライトパワーを固定したまま上記書込パルスの時間軸における補正を行う制御手段と
を具えることを特徴とするディスクドライブ装置。
【請求項２】
上記制御手段は、上記線速度の変化にそれぞれ対応して上記書込パルスの時間軸における補正を行うためのテーブルを有する
ことを特徴とする請求項１に記載のディスクドライブ装置。
【請求項３】
上記制御手段は、上記ディスク状記録媒体に書込むべき上記データのデータ量に応じて上記駆動手段を制御することにより上記ディスク状記録媒体の回転駆動方式を角速度一定方式又は線速度一定方式に切り換える
ことを特徴とする請求項１に記載のディスクドライブ装置。
【請求項４】
上記制御手段は、上記ライトパワーを固定したまま、当該ライトパワーと上記データの消去を行うためのイレーズパワーとのパワー比率を変化させることにより当該イレーズパワーのみを調整する
ことを特徴とする請求項１に記載のディスクドライブ装置。
【請求項５】
上記駆動手段は、上記ディスク状記録媒体を角速度一定方式で回転駆動する
ことを特徴とする請求項１に記載のディスクドライブ装置。
【請求項６】
ディスク状記録媒体に対してアクセスするディスクアクセス方法であって、
駆動手段により回転駆動されたディスク状記録媒体に対して書込パルスに従いデータの書込み又は消去を行うに際し、当該ディスク状記録媒体に対して所定の線速度で上記データを書込むときの記録特性を考慮したライトパワーを設定するライトパワー設定ステップと、
上記ディスク状記録媒体に対して上記データの書込み又は消去を行う際、上記ディスク状記録媒体の線速度の変化に対して上記ライトパワーを固定したまま上記書込パルスの時間軸における補正を行う制御ステップと
を具えることを特徴とするディスクアクセス方法。
【発明の詳細な説明】
【技術分野】
【０００１】
本発明は、ディスクドライブ装置に関し、例えば光ディスクに対してデータの書込み又は消去を行うディスクドライブ装置に適用して好適なものである。
【背景技術】
【０００２】
従来、ディスクドライブ装置においては、光ディスクに対してＣＡＶ(Constant Angular Velocity)方式でデータを書込む場合、ディスク外周部とディスク内周部とでは線速度が異なるため、ディスク記録面に照射するレーザ光のライトパワーを各線速度毎に変化させると共に、当該光ディスクにデータを書込むに際し、時間軸補正量やパルス幅等の波形補正量データ（以下、これを記録ストラテジーと呼ぶ）に従って各線速度毎に照射時間等を順次変化させることにより、当該各線速度について高品位の再生信号を得るようになされたものがある（例えば、特許文献１参照）。
【特許文献１】特開2003-59047公報
【発明の開示】
【発明が解決しようとする課題】
【０００３】
ところでかかる構成のディスクドライブ装置においては、データの書込みを行う際、ＣＡＶ方式では各線速度毎に最適なライトパワーが異なるため、ディスク内周部とディスク外周部の双方で最低２回のキャリブレーション（ライトパワーの調整）を行い、その間のライトパワーを補間することにより当該ライトパワーを各線速度毎に変化させるといった煩雑かつ複雑な制御を必要としていた。
【０００４】
このためディスクドライブ装置においては、ライトパワーのキャリブレーションに時間を要し、ドライブ装置としての記録転送レートが低下してしまうという問題があった。
【０００５】
本発明は以上の点を考慮してなされたもので、簡易な制御で記録特性を維持しながら記録転送速度を向上し得るディスクドライブ装置を提案しようとするものである。
【課題を解決するための手段】
【０００６】
かかる課題を解決するため本発明においては、ディスク状記録媒体に対してアクセスするディスクドライブ装置であって、ディスク状記録媒体を回転駆動する駆動手段と、当該駆動手段により回転駆動されたディスク状記録媒体に対して書込パルスに従いデータの書込み又は消去を行うアクセス手段と、ディスク状記録媒体に対して所定の線速度でデータを書込むときの記録特性を考慮したライトパワーを設定するライトパワー設定手段と、アクセス手段によりディスク状記録媒体に対してデータの書込み又は消去を行う際、ディスク状記録媒体の線速度の変化に対してライトパワーを固定したまま書込パルスの時間軸における補正を行う制御手段とを設けるようにする。
【０００７】
ディスク状記録媒体に対してデータの書込み又は消去を行う場合、ディスク状記録媒体に対する記録特性を考慮して設定されたライトパワーについては固定したまま、線速度の変化に応じて書込パルスの時間軸補正を行うことにより、当該書込パルスの時間軸補正だけの簡易な制御で当該線速度の変化に拘わらず常に同一の記録特性を維持しながら記録転送速度の向上を図ることができる。
【０００８】
また本発明においては、ディスク状記録媒体に対してアクセスするディスクドライブ方法であって、駆動手段により回転駆動されたディスク状記録媒体に対して書込パルスに従いデータの書込み又は消去を行うに際し、当該ディスク状記録媒体に対して所定の線速度でデータを書込むときの記録特性を考慮したライトパワーを設定するライトパワー設定ステップと、ディスク状記録媒体に対してデータの書込み又は消去を行う際、ディスク状記録媒体の線速度の変化に対してライトパワーを固定したまま書込パルスの時間軸における補正を行う制御ステップとを設けるようする。
【０００９】
ディスク状記録媒体に対してデータの書込み又は消去を行う場合、ディスク状記録媒体に対する記録特性を考慮して設定されたライトパワーを固定したまま、線速度の変化に応じて書込パルスの時間軸補正を行うことにより、当該書込パルスの時間軸補正だけの簡易な制御で当該線速度の変化に拘わらず常に同一の記録特性を維持しながら記録転送速度の向上を図ることができる。
【発明の効果】
【００１０】
本発明によれば、ディスク状記録媒体に対してデータの書込み又は消去を行う場合、ディスク状記録媒体に対する記録特性を考慮して設定されたライトパワーを固定したまま、線速度の変化に応じて書込パルスの時間軸補正を行うことにより、当該書込パルスの時間軸補正だけの簡易な制御で当該線速度の変化に拘わらず常に同一の記録特性を維持しながら記録転送速度の向上を図り得るディスクドライブ装置及びディスクアクセス方法を実現することができる。
【発明を実施するための最良の形態】
【００１１】
以下、図面について、本発明の一実施の形態を詳述する。
【００１２】
（１）ディスクドライブ装置の全体構成
図１において、１は全体として本発明におけるディスクドライブ装置を示し、ＣＰＵ(Central Processing Unit)２がディスクコントローラ３を介して当該ディスクドライブ装置１全体を統括制御するようになされている。ディスクドライブ装置１は、ホスト機器２００から供給されるリード／ライトコマンドに応じて動作し、記録媒体としての光ディスク１００に対してデータの記録及び再生を行なうようになされている。
【００１３】
光ディスク１００は、図示しないターンテーブルに載置され、データのアクセス（記録、消去又は再生）時において、スピンドルモータ４によって一定線速度（ＣＬＶ：Constant Linear Velocity）若しくは一定角速度（ＣＡＶ：Constant Angular Velocity）で回転駆動される。そして光ピックアップ５によって光ディスク１００にエンボスピット形態、色素変化ピット形態、或いは相変化ピット形態等で記録されているデータや、ウォブリンググルーブによるＡＤＩＰ(Address In Pre-groove)情報の読み出しが行われる。
【００１４】
光ピックアップ５には、レーザ光源となるレーザダイオード１０や反射光を検出するためのフォトディテクタ１１、レーザ光の出力端となる対物レンズを保持する二軸アクチュエータ１２、レーザダイオード１０の出力制御を行うＡＰＣ(Automatic Power Control)回路１３、さらには図示していないが、レーザ光を対物レンズを介してディスク記録面に照射し、またその反射光をフォトディテクタ１１に導く光学系等が搭載されている。
【００１５】
二軸アクチュエータ１２は、対物レンズをトラッキング方向及びフォーカス方向へ移動可能に保持する。またスライド駆動部１４は、サーボ駆動回路１５の制御に応じて光ピックアップ５全体をディスク半径方向に往復駆動する。
【００１６】
フォトディテクタ１１は複数個のフォトダイオードを有しており、各フォトダイオードはそれぞれ光ディスク１００からの反射光を受光して光電変換し、その受光光量に応じた受光信号を生成してアナログシグナルプロセッサ１６に供給する。
【００１７】
アナログシグナルプロセッサ１６のリードチャネルフロントエンド１７は、受光信号から再生ＲＦ信号を生成し、アナログディジタル変換器２０に入力する。一方マトリクスアンプ１８は、各フォトダイオードからの受光信号に対してマトリクス演算を行って、サーボ制御のためのフォーカスエラー信号ＦＥ及びトラッキングエラー信号ＴＥ、並びにウォブリンググルーブの情報であるプッシュプル信号ＰＰを生成し、これらをアナログディジタル変換器２０に入力する。またＰＬＬ部１９は、再生ＲＦ信号からリードクロックＲＣＫを生成する。
【００１８】
アナログディジタル変換器２０は、再生ＲＦ信号、フォーカスエラー信号ＦＥ、トラッキングエラー信号ＴＥ及びプッシュプル信号ＰＰをそれぞれディジタル変換した後、ディジタルシグナルプロセッサ２１に入力する。
【００１９】
ディジタルシグナルプロセッサ２１は、ライトパルスジェネレータ２２、サーボシグナルプロセッサ２３、ウォブルシグナルプロセッサ２４及びＲＦシグナルプロセッサ２５を有している。
【００２０】
ウォブルシグナルプロセッサ２４は、プッシュプル信号ＰＰをデコードし、アドレスや物理フォーマット情報等からなるＡＤＩＰ情報を抽出してＣＰＵ２へ供給する。
【００２１】
サーボシグナルプロセッサ２３は、フォーカスエラー信号ＦＥ及びトラッキングエラー信号ＴＥに基づいてフォーカス、トラッキング、スライド、スピンドルの各種サーボドライブ信号を生成し、ディジタルアナログ変換器２７を介してサーボ駆動回路１５へ供給する。
【００２２】
またサーボシグナルプロセッサ２３は、ＣＰＵ２からの命令に応じてフォーカスサーチ、トラックジャンプ、シーク等の動作を指示するサーボドライブ信号をサーボ駆動回路１５へ供給する。そしてサーボ駆動回路１５は、サーボドライブ信号に基づいて二軸アクチュエータ１２、スライド駆動部１４及びスピンドルモータ４を駆動する。
【００２３】
ＲＦシグナルプロセッサ２５は、光ディスク１００から読み出した再生ＲＦ信号に対してビタビ復号処理を施して再生データを得る。
【００２４】
すなわちＲＦシグナルプロセッサ２５のビタビ復号器２５Ａは、リードクロックＲＣＫに従って規定される各タイミングにおける再生ＲＦ信号の値（再生信号値）に基づき、ＲＬＬ符号化方式で定められる状態遷移パターンから推定される最尤状態を逐次選択していく。そしてビタビ復号器２５Ａは、選択した一連の状態データに基づいて再生データＲＤを生成し、これをディスクコントローラ３へ供給する。
【００２５】
このときＲＦシグナルプロセッサ２５の品質指標生成器２５Ｂは、ビタビ復号器２５Ａで選択した最尤状態に基づいて、振幅変動等が生じていない理想的な再生ＲＦ信号の理論値でなる振幅基準値ａｃｘｘｘを求める。さらに品質指標生成器２５Ｂは、各サンプル時刻における再生ＲＦ信号の再生信号値ｃｘｘｘと振幅基準値ａｃｘｘｘとの差分値ｅ[ｔ]の平均値を算出する。
【００２６】
この差分値ｅ[ｔ]の平均値は、再生ＲＦ信号の理想波形と実際の波形との誤差に相当し、当該再生ＲＦ信号の品質を表すものである。品質指標生成器２５Ｂは、当該平均値を再生ＲＦ信号の品質を示す品質指標値ＣＱとして出力する。
【００２７】
例えば図２に示すように、時刻ｔ−３、ｔ−２、ｔ−１、ｔ、ｔ＋１、ｔ＋２及びｔ＋３の各サンプル時刻における振幅基準値を破線で示すａｃ０００、ａｃ００１、ａｃ０１１、ａｃ１１１、ａｃ１１０、ａｃ１００及びａｃ０００とし、そのときの再生信号値をそれぞれｃ０００、ｃ００１、ｃ０１１、ｃ１１１、ｃ１１０、ｃ１００及びｃ０００とすると、各サンプル時刻における差分値は、太い線で示すｅ[t-3]＝ａｃ０００−ｃ０００、ｅ[t-2]＝ａｃ００１−ｃ００１、ｅ[t-1]＝ａｃ０１１−ｃ０１１、ｅ[t]＝ａｃ１１１−ｃ１１１、ｅ[t+1]＝ａｃ１１０−ｃ１１０、ｅ[t+2]＝ａｃ１００−ｃ１００、ｅ[t+3]＝ａｃ０００−ｃ０００となる。
【００２８】
品質指標生成器２５Ｂは、次式ＣＱ＝（ｅ[t-3]＋[t-2]＋[t-1]＋ｅ[t]＋ｅ[t+1]＋ｅ[t+2]＋ｅ[t+3]）／７を用いて品質指標値ＣＱを算出する。
【００２９】
ディスクコントローラ３は、エンコード／デコード部３１、ＥＣＣ(Error Correcting Code)処理部３２及びホストインタフェース３３を有している。
【００３０】
ディスクコントローラ３は、再生時においてＲＦシグナルプロセッサ２６から供給される再生データに対しエンコード／デコード部３１でデコード処理を行い、さらにＥＣＣ処理部３２でエラー訂正処理を施し、ホストインタフェース３３を介して外部のホスト機器２００（例えばパーソナルコンピュータ）へ転送する。
【００３１】
またＣＰＵ２は、ホスト機器２００からのライトコマンドに応じて、光ディスク１００に対する記録動作を実行する。
【００３２】
すなわち記録時においてディスクコントローラ３は、ホスト機器２００からライトコマンドと共に供給された記録データに対し、ＥＣＣ処理部３２でエラー訂正コードを付加し、さらにエンコード／デコード部３１で記録データに対してＲＬＬ(Run Length Limited)符号化を施してＲＬＬ（１，７）符号にエンコードした後、ディジタルシグナルプロセッサ２１のライトライトパルスジェネレータ２２へ供給する。
【００３３】
ライトパルスジェネレータ２２は、記録データに対して波形整形等の処理を行ってレーザ変調データを生成し、これをＡＰＣ回路１３へ送出する。ＡＰＣ回路１３は、レーザ変調データに応じてレーザダイオード１０を駆動し、レーザ変調データに応じたライトパワーでレーザ光を光ディスク１００のディスク記録面に対して照射させることにより、当該光ディスク１００に対してデータ書込みを行うようになされている。
【００３４】
このときＣＰＵ２は、光ピックアップ５が光ディスク１００に対してデータを書込むべきＲＵＢ(Recording Unit Block)の線速度毎に予め設定された記録ストラテジー（後述する）に従ってレーザ変調データの時間軸補正量や書込パルス幅等を順次変化させることにより、各線速度について高品位の再生信号を得られるようにデータを記録する。ここでＲＵＢとは、記録トラック上にデータを書込むときの１単位である。
【００３５】
ところでディスクドライブ装置１は、ホスト機器２００からのライトコマンドに伴って供給される記録データが所定サイズ以下の小容量データで複数存在するときには、シーク回数が多くなるのでサーボ駆動回路１５を制御してＣＡＶ方式でデータ書込みを行うことにより記録効率を向上させ、記録データが所定サイズを超える大容量データであるときにはシーク回数が少ないのでサーボ駆動回路１５を制御してＣＬＶ方式でデータ書込みを行うことにより記録効率を向上させるようになされており、適応的にＣＡＶ方式とＣＬＶ方式とを切り換え得るようになされている。
【００３６】
（２）記録ストラテジー
ここで、記録ストラテジーとはレーザ変調データの時間軸補正量や書込パルス幅等を規定した記録条件情報であり、ＣＰＵ２の図示しないＲＯＭ（Read Only Memory）にストラテジーテーブルとして格納されている。具体的には、図３に示すようにストラテジーテーブル５０では、図４に示すレーザ変調データの時間軸補正量や書込パルス幅等を各線速度毎に細かく規定するようになされている。
【００３７】
このストラテジーテーブル５０では、ライトパワーについては固定値であるため規定されていない。これは、本実施の形態のディスクドライブ装置１において光ディスク１００の各線速度毎にＡＰＣ回路１３によりライトパワーについてまで細かく調整するのは演算量が多く非常に煩雑な制御を伴うからであり、簡易な制御の実現及び記録転送速度の向上を図るために固定値としたものである。
【００３８】
但し、ディスクドライブ装置１は光ディスク１００に対しデータを書込むに当たって、ＣＡＶ方式で光ディスク１００を回転駆動したときの当該光ディスク１００の最内周側（最高速エリア）でＯＰＣ(Optimum Power Control)制御を行うことにより、最も優れた記録特性を得ることができるようにするためのキャリブレーションを１度だけ行うようになされている。
【００３９】
従ってディスクドライブ装置１は、当該ＯＰＣ制御によって設定したライトパワーを固定したまま、記録ストラテジーテーブル５０を用いて各線速度毎にレーザ光の照射時間等を微調整することにより、データを記録するときの各線速度に拘らわず記録特性を維持し得るようになされている。
【００４０】
記録ストラテジーテーブル５０（図３）の内容としては、レーザダイオード１０からのレーザ光により最初の書込みを行う時の照射時間Ｔｔｏｐ、リードクロックＲＣＫの立上りタイミングと書込パルスの立上りタイミングとの差分を示す開始シフト時間ｄＴｔｏｐ、２回目以降のレーザ光を照射するときの照射時間ＴＭＰ、最後の書込みを行う時の照射時間Ｔｌａｓｔ、光ディスク１００のディスク記録面にレーザ光を照射することなく冷却させるための冷却時間ｄＴＥ、レーザ光のボトムレベルを示すＰｅ及び書込み時のピークパワーＰｐと消去時のイレーズパワーＰｅとの比率を示すパワー比率ＰｅＰｐが、データ書込み時におけるリードクロックＲＣＫの周波数[MHz]、すなわちＲＵＢの線速度[m/s]毎にそれぞれ設定されている。
【００４１】
例えば、光ピックアップ５が光ディスク１００に対してＯＰＣ制御を行うに当たって、当該光ディスク１００における最内周側（最高速エリア）のＲＵＢの線速度が２倍速（２Ｘ）に相当する９．９〜１０．５６[m/s]のときには、記録ストラテジーは照射時間Ｔｔｏｐ８、開始シフト時間ｄＴｔｏｐ８、照射時間ＴＭＰ８、照射時間Ｔｌａｓｔ８、冷却時間ｄＴＥ８及びパワー比率ＰｅＰｐ８となる。
【００４２】
その後、光ピックアップ５が最内周側から最外周側へと移動するに伴って線速度が次第に下がり、照射時間Ｔｔｏｐ、開始シフト時間ｄＴｔｏｐ、照射時間ＴＭＰ、照射時間Ｔｌａｓｔ及び冷却時間ｄＴＥが徐々に長くなる。
【００４３】
そして、光ピックアップ５のデータ書込み先となるＲＵＢの線速度が１倍速（１Ｘ）に相当する５．２８〜５．９４[m/s]のときには、記録ストラテジーは照射時間Ｔｔｏｐ１、開始シフト時間ｄＴｔｏｐ１、照射時間ＴＭＰ１、照射時間Ｔｌａｓｔ１、冷却時間ｄＴＥ１及びパワー比率ＰｅＰｐ１となる。
【００４４】
このようにＣＰＵ２は、光ディスク１００に対してデータを書込む先のＲＵＢにおける線速度を常時認識しており、各線速度に応じた記録ストラテジーの内容をストラテジーテーブル５０から読み取り、これを用いて光ディスク１００に対するアクセス時の記録条件を設定し得るようになされている。
【００４５】
なおＣＰＵ２は、当該ディスクドライブ装置１がＣＡＶ方式又はＣＬＶ方式のいずれによって書込み動作を実行する場合であっても、データを書込む先のＲＵＢにおける線速度を認識し、当該線速度に応じた記録ストラテジーに基づいてデータ書込み時の記録条件を設定し得るようになされている。
【００４６】
（３）記録制御処理手順
次に、ディスクドライブ装置１のＣＰＵ２がストラテジーテーブル５０を用いて光ディスク１００に対するデータの記録制御を行う記録制御処理手順について図５のフローチャートを用いて説明する。
【００４７】
ディスクドライブ装置１のＣＰＵ２は、ルーチンＲＴ１の開始ステップから入ってステップＳＰ１へ移る。
【００４８】
ステップＳＰ１においてディスクドライブ装置１のＣＰＵ２は、サーボ駆動回路１５を介して光ディスク１００を回転駆動すると共に光ピックアップ５の二軸アクチュエータ１２を制御することによりサーボ状態に設定し、次のステップＳＰ２へ移る。
【００４９】
ステップＳＰ２においてＣＰＵ２は、ホストインタフェース３３を介してホスト機器２００からライトコマンドが発行されたことを認識すると、次のステップＳＰ３へ移る。
【００５０】
ステップＳＰ３においてＣＰＵ２は、光ディスク１００の最内周側に設けられている線速度が２倍速（２Ｘ）に相当する９．９[m/s]〜１０．５６[m/s]のＯＰＣエリアでＯＰＣ制御を行い、次のステップＳＰ４へ移る。
【００５１】
ステップＳＰ４においてＣＰＵ２は、ＯＰＣ制御を通じて光ディスク１００の最内周側（最高速エリア）で最も優れた記録特性を得ることができると予想される最適なレーザ光のライトパワーを確定し、次のステップＳＰ５へ移る。
【００５２】
ステップＳＰ５においてＣＰＵ２は、ライトコマンドによって書込み先として指定されたＲＵＢの線速度を認識し、当該線速度に対応付けられた記録ストラテジーをストラテジーテーブル５０から読み出し、これを用いて光ピックアップ５の記録条件を設定すると共に、ＰｅＰｐ比に基づいてライトパワー（固定値）の対するイレーズパワーを設定し、次のステップＳＰ６へ移る。
【００５３】
ここでＣＰＵ２は、ライトパワーが固定値であるためパワー比率ＰｅＰｐ比に基づいてイレーズパワーを設定することにより線速度毎に最適なイレーズパワーを調整し得るようになされている。これによりＣＰＵ２は、線速度毎にイレーズパワーを調整できるのでディスク記録面を加熱し過ぎたり、データが消去し切れない等の不都合を予め回避し得るようになされている。
【００５４】
ステップＳＰ６においてＣＰＵ２は、ステップＳＰ５で設定された記録条件及びイレーズパワーでホスト機器２００から指定されたＲＵＢに対してデータの書込み又は消去を行い、上述のステップＳＰ５へ戻って処理を繰り返す。
【００５５】
（４）記録再生特性
このようなルーチンＲＴ１の記録制御処理手順に従ってディスクドライブ装置１がデータのアクセスを行った結果の記録再生特性を図６に示す。このグラフでは、横軸が光ピックアップ５のライトパワーを表す共に、縦軸が再生ＲＦ信号の理想波形と実際の波形との誤差（ジッタ）を表しており、全体として各線速度毎の誤差分布が示されている。
【００５６】
このディスクドライブ装置１では、データの書込みを行うに際し、まず上述のステップＳＰ３で説明したように、光ディスク１００の最内周側に設けられている線速度が２倍速（２Ｘ）に相当する９．９[m/s]〜１０．５６[m/s]のＯＰＣエリアで最も優れた記録特性が得られるようにジッタが最小値（約０．０４）となる６[mW]にライトパワーを設定する。
【００５７】
以降、ディスクドライブ装置１では６[mW]のライトパワーを固定したままデータの書き込み等を行うようになされている。従ってディスクドライブ装置１では、線速度に拘わらず常時の６[mW]のライトパワーで光ディスク１００のディスク記録面にレーザ光を照射することになる。
【００５８】
その後、ディスクドライブ装置１はデータの書込み先となるＲＵＢの線速度が変化したときであっても、６[mW]のライトパワーを固定したまま、当該ＲＵＢの線速度にそれぞれ合わせた記録ストラテジーをストラテジーテーブル５０から読み出し、これを用いてレーザ変調データにおける書込パルスの時間軸補正を行う。
【００５９】
その結果として、このグラフでは、各線速度で光ディスク１００に対しデータの書込みを行った場合、いずれの線速度であっても、６[mW]のライトパワーでジッタが最小値となることが示されている。
【００６０】
すなわちディスクドライブ装置１は、最初のＯＰＣ制御で確定したライトパワーを変更することなく、ストラテジーテーブル５０に従って記録ストラテジーだけを調整することにより、従来のようにライトパワーについても制御する場合と比較して記録制御処理を簡易にし、演算時間の短縮を図りながらも、最も優れた記録特性を維持しつつ書込転送速度を向上させることができる。
【００６１】
（５）動作及び効果
以上の構成において、ディスクドライブ装置１は、光ディスク１００をＣＡＶ方式で回転駆動したときの当該光ディスク１００の最内周側の最高速エリア（ＯＰＣエリア）で最も優れた記録特性が得られるようにジッタが最小値となるライトパワーを確定する。
【００６２】
ディスクドライブ装置１は、確定したライトパワーを固定したままであっても各線速度毎にジッタが最小となるように考慮した記録ストラテジーをストラテジーテーブル５０によって規定しておく。
【００６３】
そしてディスクドライブ装置１は、実際にストラテジーテーブル５０に従ってデータ書込み時の線速度の変化に合わせた記録条件を設定すれば、ライトパワーについては変更することなく記録特性を維持することができる。
【００６４】
このようにディスクドライブ装置１では、記録特性が線速度毎に変化することがないように記録ストラテジーを設定し、予めストラテジーテーブル５０としてＲＯＭに保持しておくようにしたことにより、線速度毎に煩雑で複雑なライトパワーの制御を行う必要がなくなり、特許文献１と比べても一段と簡易な制御で最も優れた記録特性を維持することができる。
【００６５】
またディスクドライブ装置１は、ライトパワーの設定動作を最初のＯＰＣ制御を行うときの１回のキャリブレーションだけで済むので、キャリブレーション回数を最小限にすることができると共に、各線速度毎に煩雑で複雑なライトパワーの制御を行う場合に比べてデータの記録転送速度を一段と向上させることができる。
【００６６】
以上の構成によれば、ディスクドライブ装置１は、最初に確定したライトパワーを固定したままストラテジーテーブル５０に従い各線速度毎に記録条件を調整するだけで最も優れた記録特性を得ることができるので、従来と比較して一段と簡易な制御で記録特性を維持しながら記録転送速度を向上することができる。
【００６７】
（６）他の実施の形態
なお上述の実施の形態においては、ＣＡＶ方式とＣＬＶ方式とを適応的に切り換えることが可能なディスクドライブ装置１に本発明を適用するようにした場合について述べたが、本発明はこれに限らず、ＣＡＶ方式だけで動作するディスクドライブ装置やＺＣＬＶ(Zone Constant Linear Velocity）方式やその他種々の方式で動作するディスクドライブ装置に適用するようにしても良い。
【００６８】
また上述の実施の形態においては、線速度の範囲別に分けて８種類の記録ストラテジーをストラテジーテーブル５０に規定しておくようにした場合について述べたが、本発明はこれに限らず、さらに細かい線速度の範囲別に分けた複数種類の記録ストラテジーをストラテジーテーブル５０に規定しておくようにしても良い。
【００６９】
さらに上述の実施の形態においては、本発明をディスク状記録媒体としての光ディスク１００に対してデータの書込み又は消去を行うディスクドライブ装置１に適用するようにした場合について述べたが、本発明はこれに限らず、ＣＤ−Ｒ(Compact Disc-Recodable)、ＤＶＤ(Digital Versatile Disc)やブルーレイディスク等の各種ディスク状記録媒体に対してアクセスする種々のディスクドライブ装置に本発明を適用するようにしても良い。
【００７０】
さらに上述の実施の形態においては、本発明のディスクドライブ装置を、駆動手段としてのサーボ駆動回路１５、当該サーボ駆動回路１５により回転駆動されたディスク状記録媒体としての光ディスク１００に対して書込パルスに従いデータの書込み又は消去を行うアクセス手段としての光ピックアップ５、ライトパワー設定手段としてのＣＰＵ２及びライトパルスジェネレータ２２、制御手段としてのＣＰＵ２によって構成するようにした場合について述べたが、本発明はこれに限らず、その他種々の回路構成でディスクドライブ装置を構成するようにしても良い。
【産業上の利用可能性】
【００７１】
本発明のディスクドライブ装置は、例えばＣＡＶ方式、ＺＣＡＶ方式、ＣＬＶ方式又はＺＣＬＶ方式でデータの書込み等を行う種々の用途に適用することができる。
【図面の簡単な説明】
【００７２】
【図１】本発明のディスクドライブ装置の構成を示す略線的ブロック図である。
【図２】振幅基準値と再生信号値の説明に供する略線図である。
【図３】ストラテジーテーブルの説明に供する略線図である。
【図４】レーザ変調データの説明に供する略線図である。
【図５】記録制御処理手順を示すフローチャートである。
【図６】記録再生特性を示す特性曲線図である。
【符号の説明】
【００７３】
１……ディスクドライブ装置、２……ＣＰＵ、３……ディスクコントローラ、５……光ピックアップ５、１５……サーボ駆動回路、１６……アナログシグナルプロセッサ、２１……ディジタルシグナルプロセッサ、２２……ライトパルスジェネレータ、５０……ストラテジーテーブル、１００……光ディスク。
【図１】
2005267801.tif 000003
【図２】
2005267801.tif 000004
【図３】
2005267801.tif 000005
【図４】
2005267801.tif 000006
【図５】
2005267801.tif 000007
【図６】
2005267801.tif 000008